【手続補正書】
【提出日】平成22年8月19日(2010.8.19)
【手続補正１】
【補正対象書類名】特許請求の範囲
【補正対象項目名】全文
【補正方法】変更
【補正の内容】
【特許請求の範囲】
【請求項１】
サービスの２人のユーザ間の無線１対１通信方法において、
送信側パーティと受信側パーティとの間で、お互いを指定して、送信側装置と受信側装置との間の１対１通信を許容するステップと、
前記送信側装置と前記受信側装置との間での指定に応答して、前記送信側パーティと前記受信側パーティとの間で少なくとも１つの一意的な電子識別子を無線で送信するステップと、
前記少なくとも１つの識別子を前記受信側装置にローカルにダウンロードするステップと、
前記受信側装置にダウンロードされた前記少なくとも１つの識別子を用いて、１つ以上のデータベースから情報をアクセスするステップと、を有し、
前記送信側装置と前記受信側装置の間でお互いを指定するステップは、
前記送信側パーティと前記受信側パーティがお互いに選択し合うことと、
前記送信側パーティ及び前記受信側パーティの少なくとも１つが、i）他方のパーティと近接すること、ii）お互いに関連して前記送信側装置及び前記受信側装置の少なくとも１つを目標とすること、iii）前記送信側装置及び前記受信側装置の起動の時間を互いに決めること、及び、iv）お互いに関連して前記送信側装置及び前記受信側装置の少なくとも１つを監視すること、の少なくとも１つを実行することにより、前記送信側パーティ及び前記受信側パーティが、お互いに前記送信側装置及び前記受信側装置を対象とすること、を含む、無線１対１通信方法。
【請求項２】
少なくとも１つの無線電子識別子を前記受信側装置からデータサーバコンピュータシステムにアップロードするステップと、
前記コンピュータシステムが、ユーザの識別子と前記無線電子識別子を関連付けるステップと、
前記コンピュータシステムが、前記識別子に関連付けられている前記ユーザに関する情報を提供するステップと、をさらに有し、
前記コンピュータシステムが前記情報に対する第三者によるアクセスを制限するように構成されている、請求項１記載の無線１対１通信方法。
【請求項３】
前記プロファイル情報は、テキスト、オーディオ、ビデオ、画像、ブログ、ウェブサイト又は販売中のアイテム又はサービスへのリンクを含む請求項１記載の無線１対１通信方法。
【請求項４】
コンピュータネットワークに接続されたコンピュータシステムにおいて、
複数の一意的な無線装置識別子を保存するステップと、
複数のユーザの情報を保存するステップと、
前記無線装置識別子を前記複数のユーザのそれぞれのアカウントに関連付けるステップと、
第１の無線装置を有する送信側ユーザと第２の無線装置を有する受信側ユーザとの間で、お互いを指定して、前記第１及び第２の無線装置の間での１対１通信を許容するステップと、
前記送信側ユーザと前記受信側ユーザとの間の指定に応答して、前記送信側ユーザと前記受信側ユーザとの間で少なくとも１つの一意的な電子識別子を無線で送信するステップと、
前記少なくとも１つの一意的な電子識別子を前記第２の無線装置にローカルにダウンロードするステップと、
前記第２の無線装置にダウンロードされた前記少なくとも１つの一意的な電子識別子を用いて、前記コンピュータネットワークからそれぞれのアカウント及びそれぞれのユーザに関連する情報をアクセスするステップと、を有し、
前記送信側ユーザと前記受信側ユーザとの間でお互いを指定するステップは、
前記送信側ユーザと前記受信側ユーザがお互いに選択し合うことと、
前記送信側ユーザ及び前記送信側ユーザの少なくとも１つが、i）他方のユーザと近接すること、ii）お互いに関連して前記第１の無線装置及び前記第２の無線装置の少なくとも１つを目標とすること、iii）前記第１の無線装置及び前記第２の無線装置の起動の時間を互いに決めること、及び、iv）お互いに関連して前記第１の無線装置及び前記第２の無線装置の少なくとも１つを監視すること、の少なくとも１つを実行することにより、前記送信側ユーザ及び前記受信側ユーザが、お互いに前記第１の無線装置及び前記第２の無線装置を対象とすること、を含む方法を実行するソフトウェアを含むコンピュータシステム。
【請求項５】
前記無線装置識別子及び情報は、インターネットを介してアクセス可能な１つ以上のデータベースに保存されている請求項４記載のコンピュータシステム。
【請求項６】
前記第２の無線装置にダウンロードされた前記少なくとも１つの一意的な電子識別子を用いて、前記コンピュータネットワークからそれぞれのアカウント及びそれぞれのユーザに関連する情報をアクセスするステップは、少なくとも１つの一意的な電子識別子を用いてデータベースへのクエリを生成するステップと、前記クエリに応じて、前記それぞれのアカウント及び前記それぞれのユーザに関連付けられている情報を検索するステップを含む請求項４記載のコンピュータシステム。
【請求項７】
一意的な装置識別子を交換する無線装置において、
電源を収容する外側筐体と、
データ転送インタフェースと、
指向性がある送信／受信ハードウェアコンポーネントと、
起動機構と、
プロセッサと、
メモリと、を備え、
前記無線装置が、第１の無線装置を有する送信側パーティと第２の無線装置を有する受信側パーティとの間で、前記送信側パーティと前記受信側パーティがお互いを指定して、前記第１及び第２の無線装置の間での１対１通信を許容し、少なくとも１つの一意的な電子識別子が前記送信側パーティと前記受信側パーティとの間での指定に応答して、前記送信側パーティと前記受信側パーティとの間で送信され、前記少なくとも１つの一意的な識別子が前記第２の無線装置のメモリにローカルにダウンロードされ、前記メモリにダウンロードされた前記少なくとも１つの識別子が１つ以上のデータベースの情報をアクセスするのに用いられるように構成され、
前記第１及び第２の無線装置が、さらに、前記送信側パーティと前記受信側パーティがお互いに選択し合い、お互いに前記第１の無線装置及び前記第２の無線装置を対象とし、前記送信側ユーザ及び前記送信側ユーザの少なくとも１つが、i）他方のユーザと近接すること、ii）お互いに関連して前記第１の無線装置及び前記第２の無線装置の少なくとも１つを目標とすること、iii）前記第１の無線装置及び前記第２の無線装置の起動の時間を互いに決めること、及び、iv）お互いに関連して前記第１の無線装置及び前記第２の無線装置の少なくとも１つを監視すること、の少なくとも１つを実行することにより、前記送信側ユーザ及び前記受信側ユーザの相互の対象動作が実行されるように構成されている、無線装置。
【請求項８】
当該無線装置は、表示機能を有さないスタンドアロン装置である請求項７記載の無線装置。
【請求項９】
当該無線装置は、腕時計、携帯電話機、ブローチ、ペンダント、ネックレス、指輪、イヤリング、衣服、衣服のラベル、財布又はキーチェーンに組み込まれている請求項７記載の無線装置。
【請求項１０】
当該無線装置は、クレジットカード形状要素に統合されている請求項７記載の無線装置。
【請求項１１】
サービスプロバイダの２人のユーザ間で無線１対１通信を行うための方法において、
（ａ）前記サービスプロバイダを介して、複数の無線送信及び受信装置の対応する１つと関連付けられた一意的な電子識別子を提供するステップと、
（ｂ）前記サービスプロバイダを介して、複数のユーザのうち少なくとも１ユーザについてのデータを格納するステップであって、各ユーザは、ユーザに割り当てられた前記対応する無線送信及び受信装置の電子識別子と関連付けられている、ステップと、
（ｃ）前記複数のユーザ間で、送信側ユーザと受信側ユーザが互いに指定し合い、それぞれの送信装置とそれぞれの受信装置間で１対１通信を許容することによって、前記一意的な電子識別子を無線で交換するステップであって、少なくとも１つの一意的な電子識別子が、前記送信側ユーザと前記受信側ユーザとの間での指定に応答して、前記送信側ユーザと前記受信側ユーザとの間において無線で送信される、ステップと、
（ｄ）前記少なくとも１つの電子識別子を前記受信装置にローカルにダウンロードするステップと、
（ｅ）前記受信装置イローカルにダウンロードされた前記少なくとも１つの識別子を用いて、前記サービスプロバイダを介して、前記送信側及び受信側ユーザの少なくとも１つについてのデータにアクセスするステップと、を有し、
前記送信側ユーザと前記受信側ユーザとの間で指定するステップは、
前記送信側ユーザ及び前記受信側ユーザがお互いを選択し合ことと、
前記送信側ユーザ及び前記受信側ユーザの少なくとも１つが、i）他方のパーティと近接すること、ii）お互いに関連して前記送信側装置及び前記受信側装置の少なくとも１つを目標とすること、iii）前記送信側装置及び前記受信側装置の起動の時間を互いに決めること、及び、iv）お互いに関連して前記送信側装置及び前記受信側装置の少なくとも１つを監視すること、の少なくとも１つを実行することにより、前記送信側パーティ及び前記受信側パーティが、お互いに前記送信側装置及び前記受信側装置を対象とすること、を含む無線１対１通信方法。
【請求項１２】
複数の無線電子装置を提供するステップと、
少なくとも一のユーザをサービスプロバイダに登録し、前記複数の無線電子装置の１つに前記少なくとも一のユーザを関連付けるステップと、
一意的な電子識別子を前記複数の無線電子装置のそれぞれに関連付けるステップと、
前記複数の無線電子装置のそれぞれに割り当てられた前記位置的な電子識別子を、前記一意的な電子識別子と関連付けられた情報に対する第三者のアクセスを制限するように構成されたデータベースを有するデータサーバに格納するステップと、
前記無線電子装置の１つを有する送信側パーティと他の無線装置を有する受信側パーティが互いに指定し合い、その間の１対１通信を許容することに応答して、前記第１の無線電子装置の一意的な電子識別子を第２の無線電子装置に無線送信するステップと、
前記第２の無線装置によって前記第１の無線装置の前記一意的な電子識別子を受信するステップと、
前記一意的な電子識別子を、前記受信側パーティの前記無線装置にローカルにダウンロードするステップと、
前記受信側パーティの無線電子装置にダウンロードされた一意的な電子識別子を用いて、前記データサーバに対して、前記送信側パーティ及び受信側パーティの少なくとも１つについての情報にアクセスするステップと、を有し、
前記送信側パーティと前記受信側パーティとの間で指定するステップは、
前記送信側パーティと前記受信側パーティがお互いに選択し合うことと、
前記送信側パーティ及び前記受信側パーティの少なくとも１つが、i）他方のパーティと近接すること、ii）お互いに関連して前記送信側装置及び前記受信側装置の少なくとも１つを目標とすること、iii）前記送信側装置及び前記受信側装置の起動の時間を互いに決めること、及び、iv）お互いに関連して前記送信側装置及び前記受信側装置の少なくとも１つを監視すること、の少なくとも１つを実行することにより、前記送信側パーティ及び前記受信側パーティが、お互いに前記送信側装置及び前記受信側装置を対象とすること、を含む無線１対１通信方法。
【請求項１３】
さらに、データベースに各ユーザに対応する情報を格納するステップを有する、無線１対１通信方法。
【請求項１４】
前記受信側パーティの無線電子装置から前記データサーバに接続されたコンピュータシステムに、前記受信した一意的な電子識別子をアップロードするステップと、
前記アップロードされた一意的な電子識別子と、前記データサーバに格納された前記一意的な電子識別子とをマッチングするステップと、
前記マッチングにより得られた一意的な電子識別子に関連付けられた情報を前記データベースによって検索するステップと、
前記検索された情報を表示するステップと、をさらに有する無線１対１通信方法。
【請求項１５】
前記送信側装置及び前記受信側装置は、それぞれ電子識別子の送信機及び受信機であるように構成されている、請求項１記載の無線１対１通信方法。
【請求項１６】
前記送信側パーティ及び前記受信側パーティの少なくとも１つについての情報にアクセスするステップは、少なくとも１つのパーティがデータベースを構成し、前記少なくとも１つのパーティと関連付けられた情報について第三者によるアクセスを制限することを含む、請求項１に記載の無線１対１通信方法。
【請求項１７】
前記送信側パーティ及び前記受信側パーティの少なくとも１つについての情報にアクセスするステップは、それぞれのデータベースにおけるアクセス可能な情報のレベルを制限することにより、第三者による情報のアクセスを選択的に制御することを含む、請求項１に記載の無線１対１通信方法。
【請求項１８】
前記ソフトウェアは、
前記第２の無線装置からデータサーバコンピュータシステムに、少なくとも１つの電子識別子をアップロードするステップと、
前記コンピュータシステムが、前記アップロードされた電子識別子をユーザの識別子をマッチングするステップと、
前記コンピュータシステムが、前記ユーザの識別子に関連付けられたユーザに関する情報を提供するステップと、をさらに含む方法を実行し、
前記コンピュータシステムは前記情報に対する第三者のアクセスを制限するように構成される、請求項４に記載のコンピュータシステム。
【請求項１９】
前記ソフトウェアは、
データサーバコンピュータシステムが、前記電子識別子とユーザの識別子をマッチングするステップと、
前記コンピュータシステムが、前記ユーザの識別子に関連付けられたユーザに関する情報を提供するステップと、をさらに含む方法を実行し、
前記コンピュータシステムは前記情報に対する第三者のアクセスを制限するように構成される、請求項４に記載のコンピュータシステム。
【請求項２０】
前記コンピュータシステムは、それぞれのデータベースにおけるアクセス可能な情報のレベルを制限して、第三者による情報のアクセスを選択的に制御することにより、前記情報に対するアクセスを制限する、請求項１８または１９に記載のコンピュータシステム。
【請求項２１】
前記ソフトウェアは、
前記電子識別子に関連付けられたアカウントのための制御であって、前記アカウントとそれに関連付けられた前記情報に対するアクセスを制限するように構成された制御にアクセスするステップと、
前記電子識別子に関連付けられた前記制御に応答して、前記アカウントの少なくとも１つとそれに関連付けられた前記情報へのアクセスを提供するステップと、をさらに含む方法を実行する、請求項４に記載のコンピュータシステム。
【請求項２２】
前記第１及び第２の無線装置はそれぞれ、電子識別子の送信機及び受信機であるように構成されている、請求項４に記載のコンピュータシステム。
【請求項２３】
前記ソフトウェアは、
さらに、前記ユーザの少なくとも１つに関する前記アカウントとそれぞれの情報にアクセスするステップを含む方法を実行し、
前記アカウントとそれぞれの情報にアクセスするステップは、それぞれのデータベースを構成し、そのデータベース中のユーザと関連付けられた情報の第三者によるアクセスを制限することを含む、請求項４に記載のコンピュータシステム。
【請求項２４】
前記ソフトウェアは、
さらに、前記ユーザの少なくとも１つに関する前記アカウントとそれぞれの情報にアクセスするステップを含む方法を実行し、
前記アカウントとそれぞれの情報にアクセスするステップは、それぞれのデータベースにおいてアクセス可能な情報のレベルを制限することにより、第三者のアクセスを選択的に制御することを含む、請求項４に記載のコンピュータシステム。
【請求項２５】
前記データ転送インタフェースはＵＳＢコネクタを含む、請求項７に記載の無線装置。
【請求項２６】
前記起動機構は少なくとも１つのボタンとスイッチを含む、請求項７に記載の無線装置。
【請求項２７】
さらに、１以上の確認用ＬＥＤを有する、請求項７に記載の無線装置。
【請求項２８】
前記指向性がある送信／受信ハードウェアコンポーネントは、電磁気エネルギー、赤外線エネルギー、超音波エネルギー、及びＲＦエネルギーのうち１つのナロービームを放出するように構成されたナロービームエミッタを含む、請求項７に記載の無線装置。
【請求項２９】
前記指向性がある送信／受信ハードウェアコンポーネントは、電磁気エネルギー、赤外線エネルギー、超音波エネルギー、及びＲＦエネルギーの１つの前記ナロービームをそれぞれ検出し、受信するように構成されたナロービーム検出器を含む、請求項７に記載の無線装置。
【請求項３０】
前記送信側及び受信側パーティの少なくとも１つによって、i）他方のパーティと近接すること、ii）お互いに関連して前記第１及び第２の無線装置の少なくとも１つを目標とすること、iii）前記第１及び第２の無線装置の起動の時間を互いに決めること、及び、iv）お互いに関連して前記第１及び第２の無線装置の少なくとも１つを監視すること、の少なくとも１つを実行することにより起動するように構成された前記起動機構を介して、前記お互いに対象とすることが実行される、請求項７に記載の無線装置。
【請求項３１】
前記受信側装置にローカルにダウンロードされた前記少なくとも１つの電子識別子は、そのダウンロード後の１つ以上のデータベース内の情報にのみ関連付けられる、請求項１に記載の無線１対１通信方法。
【請求項３２】
前記受信側装置にローカルにダウンロードされた前記少なくとも１つの電子識別子は、そのダウンロード後、及び前記送信側パーティ及び前記受信側パーティの少なくとも１つが１つ以上のデータベースに情報を構成してそれに対するアクセスを許容した後に、前記１以上のデータベース内の情報にのみ関連付けられる、請求項１に記載の無線１対１通信方法。